(57)【特許請求の範囲】
【請求項１】
基板上に固定されるケースと、ケース内に直交する２方向に回動自在に支持され、それぞれが回動方向と直角な方向に延びる長孔を有する上下一組の回動部材と、上下一組の回動部材の各長孔を貫通し、周囲の任意方向に操作されることにより各回動部材を回動させると共に、押下操作が可能とされた操作部材と、操作部材及び／又は回動部材を中立位置に弾性的に保持する保持機構と、各回動部材の回動角度に対応する信号を出力する一組の信号出力手段と、操作部材の押下操作によりスイッチングされる押下スイッチとを備えた多方向入力装置において、
前記押下スイッチは、操作部材の下方にケースの底板部を貫通して昇降自在に設けられたキートップと、キートップの下方に位置して前記基板上に実装され、操作部材の押下操作に伴うキートップの下降により操作されるスイッチ本体との組み合わせにより構成されることを特徴とする多方向入力装置。
【請求項２】
前記スイッチ本体は、前記基板上に形成された固定接点と、固定接点の上に固定された弾性変形が可能なドーム型の可動接片との組み合わせからなることを特徴とする請求項１に記載の多方向入力装置。
【請求項３】
前記可動接片は、当該可動接片の上から樹脂シートを基板に貼り付けることにより、固定接点上に固定されることを特徴とする請求項２に記載の多方向入力装置。
【請求項４】
前記信号出力手段は、上下一組の回動部材の各一端部にギヤ部を設けると共に、各ギヤ部の下方に位置してケースの２側面に各側面及び前記基板に沿って移動し得る直進スライダを取付け、直進スライダの上面に前記ギヤ部に噛み合う歯部を設け、直進スライダの下面に、前記基板の表面に形成された抵抗回路に摺動可能に接触して、抵抗回路と共にボリュームを構成する接触子を取付けた構成である請求項１、２又は３に記載の多方向入力装置。
【発明の詳細な説明】
【０００１】
【発明の属する技術分野】
本発明は、周囲の任意方向に操作される操作部材の操作により各種信号の入力を行う多方向入力装置に関する。
【０００２】
【従来の技術】
ジョイスティックと呼ばれるこの種の多方向入力装置は、通常、基板上に固定されるケースと、ケース内に直交する２方向に回動自在に支持され、それぞれが回動方向と直角な方向に延びる長孔を有する上下一組の回動部材と、上下一組の回動部材の各長孔を貫通し、周囲の任意方向に操作されることにより各回動部材を回動させる操作部材と、ケース内に圧縮状態で収容されて、操作部材を中立位置に弾性的に保持するスプリングと、上下一組の回動部材の各一端部に連結されて、各回動部材の回動角度に対応する信号を出力する一組の信号出力手段とを備えている。
【０００３】
一組の信号出力手段としては、ボリュームに代表される電気的センサ、磁気的センサ、光学的センサなどが使用されるが、主にコスト等の点からボリュームが比較的多く使用されている。一組の信号出力手段としてボリュームを使用した多方向入力装置は、特開昭６１−１９８２８６号公報、実公平６−４３９６３号公報、実公平７−２７６０８号公報等に記載されている。
【０００４】
また、この種の多方向入力装置のなかの一部のものは、操作部材を昇降可能に構成し、その押下操作によって押下スイッチを操作する構成となっている。この押下スイッチ付き多方向入力装置は、例えば特開平１０−２８３８８５号公報に記載されている。特開平１０−２８３８８５号公報に記載された押下スイッチ付き多方向入力装置では、その押下スイッチは、操作部材の下方に設けられた押圧部材と、押圧部材の下方位置してケースの底板部上に設けられスイッチ本体とからなり、操作部材の押下操作に伴う押圧部材の下降によってスイッチ本体を操作する構成になっている。
【０００５】
【発明が解決しようとする課題】
しかしながら、特開平１０−２８３８８５号公報に記載された押下スイッチ付き多方向入力装置では、その押下スイッチは、スイッチ本体を含めケース内に収容されている。このため、多方向入力装置の実装段階で、装置内のスイッチ本体を基板上の印刷回路と接続するための半田付け作業が必要となる。
【０００６】
また、一般の押下スイッチ付き多方向入力装置では、その押下スイッチとして通常の押下スイッチユニットが使用されている。通常の押下スイッチユニットはフレーム、ボディ、端子、キートップ、スナッププレート及びカバーの６部品からなり、高価であるため、多方向入力装置の製作コストを押し上げる要因になっていた。
【０００７】
更に、一組の信号出力手段として使用されるボリュームについても、次のような問題がある。
【０００８】
即ち、ボリュームは、他の信号出力手段に比べると安価とは言え、数点（通常５点程度）の部品を必要とするので、多方向入力装置中に占めるコストの割合は依然高い。しかも、多方向入力装置を取付ける基板との間に半田付けが必要であり、多方向入力装置を使用する機器の製作コストを高める。
【０００９】
本発明はかかる事情に鑑みて創案されたものであり、押下スイッチ付きであるにもかかわらず、そのスイッチを基板に半田付けする必要がない実装が容易な多方向入力装置を提供することを第１の目的とする。
【００１０】
本発明の第２の目的は、更に、押下スイッチを構成する部品の点数が少ない多方向入力装置を提供することにある。
【００１１】
本発明の第３の目的は、信号出力手段についても、部品点数が少なく、且つ基板との間の半田付けを必要としない多方向入力装置を提供することにある。
【００１２】
【課題を解決するための手段】
本発明の請求項１に係る多方向入力装置は、基板上に固定されるケースと、ケース内に直交する２方向に回動自在に支持され、それぞれが回動方向と直角な方向に延びる長孔を有する上下一組の回動部材と、上下一組の回動部材の各長孔を貫通し、周囲の任意方向に操作されることにより各回動部材を回動させると共に、押下操作が可能とされた操作部材と、操作部材及び／又は回動部材を中立位置に弾性的に保持する保持機構と、各回動部材の回動角度に対応する信号を出力する一組の信号出力手段と、操作部材の押下操作によりスイッチングされる押下スイッチとを備えた多方向入力装置であり、前記押下スイッチは、操作部材の下方にケースの底板部を貫通して昇降自在に設けられたキートップと、キートップの下方に位置して前記基板上に実装され、操作部材の押下操作に伴うキートップの下降により操作されるスイッチ本体との組み合わせにより構成されている。
【００１３】
本発明の請求項１に係る多方向入力装置では、操作部材がケースの底板部を貫通し、操作部材の押下操作に伴うキートップの下降によって、基板上のスイッチ本体が操作される。このため、多方向入力装置の実装段階で、スイッチを基板に半田付けする作業が不要になる。
【００１４】
また、本発明の請求項２に係る多方向入力装置では、前記スイッチ本体は、前記基板上に形成された固定接点と、固定接点の上に固定された弾性変形が可能なドーム型の可動接片との組み合わせからなる。これにより、基板上のスイッチ本体を構成する部品の点数が大幅に低減する。
【００１５】
また、本発明の請求項３に係る多方向入力装置では、前記可動接片は、当該可動接片の上から樹脂シートを基板に貼り付けることにより、固定接点上に固定される。これにより、基板上でのスイッチ本体の組立が容易となる。
【００１６】
また、本発明の請求項４に係る多方向入力装置では、前記信号出力手段は、上下一組の回動部材の各一端部にギヤ部を設けると共に、各ギヤ部の下方に位置してケースの２側面に各側面及び前記基板に沿って移動し得る直進スライダを取付け、直進スライダの上面に前記ギヤ部に噛み合う歯部を設け、直進スライダの下面に、前記基板の表面に形成された抵抗回路に摺動可能に接触して、抵抗回路と共にボリュームを構成する接触子を取付けた構成とされる。
【００１７】
この構成によれば、操作部材の操作による回動部材の回動に伴って、回動部材の一端部に設けられたギヤ部が回転する。その回転に伴う直進スライダの移動により、基板の表面に形成された抵抗体回路上を接触子が摺動し、ボリュームとしての機能が得られる。
【００１８】
抵抗回路を基板側に設けたことにより、信号出力手段についても、部品点数が低減し、基板との間の半田付けも不要になる。特に、直進スライダを収容する収容部はケースに一体的に設けることができる。ギヤ部についても、回動部材に一体的に設けることができる。これらを多方向入力装置に一体化することにより、ボリュームを構成する部品は、直進スライダと接触子の２点にまで低減する。
【００１９】
直進スライダを収容する収容部は、ケースに対して別付けでもよいが、ケースの側面に一体的に形成した方が、部品点数の低減の点から好ましい。
【００２０】
ギヤ部としては、円弧面を下方に向け、その円弧面に歯部が形成された扇状部材が小型化の点から好ましい。また、回動部材の端部に一体的に設けるのが、部品点数の低減の点から好ましい。
【００２１】
なお、多方向入力装置の基本構造については、その具体的な構造を問わない。例えば、操作部材を中立位置に弾性的に保持する保持機構は、操作部材をスプリングにより直接中立位置に保持する構造でも、上下一組の回動部材をスプリングにより中立位置に保持して、操作部材を間接的に中立位置に保持する構造でもよく、両方を直接的に中立位置に保持する構造でもよい。スプリングについては上下一組の回動部材の上方又は下方の何れに配置されてもい。
【００２２】
信号出力手段については、本発明の請求項４に係る多方向入力装置で採用されたスライドタイプのボリーム一体形式のものが、部品点数の低減、組み付けの簡略化の点から好ましいが、通常の可変抵抗ユニットを用いた抵抗式のものを使用しても良く、その他、磁気式、光学式のものを用いても良いことは言うまでもない。
【００２３】
【発明の実施の形態】
以下に本発明の実施形態を図面に基づいて説明する。
【００２４】
図１は本発明の実施形態に係る多方向入力装置の平面図、図２は図１のＡ−Ａ線矢示図、図３は図１のＢ−Ｂ線矢示図、図４は図１のＣ−Ｃ線矢示図、図５は同多方向入力装置の底面図、図６は同多方向入力装置に組み合わされる抵抗回路のパターン図、図７は図２中のＤ部拡大図である。
【００２５】
本発明の実施形態に係る多方向入力装置は、図１に示すように、基板１００（図６参照）の上に固定されるケース１０を備えており、ケース１０の直交する２つの側面部には、信号出力手段として一組のボリューム部２０Ａ，２０Ｂが一体的に設けられている。
【００２６】
ボリューム部２０Ａ，２０Ｂを除いたケース１０の本体部内には、図２及び図３に示すように、下部を中心にして周囲の任意方向に傾動操作される棒状の操作部材３０と、操作部材３０によって回動操作される上下一組の回動部材４０Ａ，４０Ｂと、操作部材３０を中立位置に弾性的に保持するための昇降スライダ５０及びスプリング６０と、操作部材３０によって押下操作されるキートップ７０とが収容されている。
【００２７】
キートップ７０は、基板１００上のスイッチ本体１１０と共に押下スイッチを構成する。また、ボリューム部２０Ａ，２０Ｂの内部には直進スライダ８０、８０がそれぞれ設けられている。
【００２８】
基板１００上に固定される角箱形状のケース１０は、その底板部を形成する下ケース１０ａと、これに上方から被せられる上ケース１０ｂとを組み合わせた２ピース構造になっている。
【００２９】
下ケース１０ａは、ほぼ四角形の底板部１１を有している。底板部１１の４隅部には、上ケース１０ｂとの固定のために、上方に突出する爪部１２が設けられている。底板部１１の各辺中央部には、回動部材４０Ａ，４０Ｂを支持するために、上方に突出する支持部１３が設けられている。底板部１１の中央部には、キートップ７０を上下方向に案内するために円筒形状のガイド部１４が設けられている。
【００３０】
上ケース１０ｂは、下ケース１０ａに被せられる下面が開放した角箱形の本体部１５と、本体部１５の直交する２側面に一体的に設けられたスライダ収容部１６，１６とを有している。本体部１５の天板部分には、操作部材３０の上部を上方に突出させるために開口部１７が設けられると共に、下ケース１０ａの爪部１２が嵌合する複数の開口部が、開口部１７の周囲に位置して設けられている。本体部１５の各側壁部には、下ケース１０ａの支持部１３が下方から嵌合する切り込み部が設けられている。
【００３１】
直進スライダ８０，８０をそれぞれ収容するスライダ収容部１６，１６は、図１、図２、図４及び図５に示すように、本体部１５の下部側面から側方に張り出した直方体状の箱であり、その下面は全面的に開口している。各スライダ収容部１６の上面には、本体部１５の側面に沿ったスリット状の開口部１８が設けられている。
【００３２】
下ケース１０ａに上ケース１０ｂを被せると、下ケース１０ａの爪部１２が上ケース１０ｂの本体部１５の開口部に嵌合することにより、下ケース１０ａと上ケース１０ｂが固定される。また、下ケース１０ａの支持部１３が上ケース１０ｂの本体部１５の切り込み部に嵌合することにより、本体部１５の各側面には、回動部材４０Ａ，４０Ｂの両端軸部を支持するための円形の開口部が形成される。
【００３３】
操作部材３０は、図２及び図３に示すように、断面が円形の棒体部３１と、棒体部３１の下方に連設された回動軸部３２と、回動軸部３２の更に下方に連設された大径の円板部３３と、円板部３３の下面中央部に設けられた下に凸の半球状の凸部３４とを有している。回動軸部３２は、断面が上に凸の半円形をした蒲鉾形で、当該操作部材３０に直角な２方向に突出している。回動軸部３２の軸心は、下方に凸の半球状の凸部３４の中心と交差している。
【００３４】
上段の回動部材４０Ａは、両端部に断面が円形の回動軸部４１Ａ，４１Ａを有し、その間に、上側へ凸のアーチからなる円弧部４２Ａを有している。円弧部４２Ａには、回動中心軸方向に延びる長孔４３Ａが、操作部材３０のガイド孔として設けられている。回動軸部４１Ａ，４１Ａの一方の先端面には、ギヤ部４４Ａが一体的に形成されている。ギヤ部４４Ａは、本体部１５の側方に突出し、一方のスライダ収容部１６の開口部１８の上方に位置している。ギヤ部４４Ａは、ここでは円弧面を下方に向けた扇状部材であり、その円弧面には平歯車状の歯部４５Ａが形成されている。
【００３５】
下段の回動部材４０Ｂは、上段の回動部材４０Ａの下方に直角に組み合わされる。この回動部材４０Ｂは、両端部に断面が円形の回動軸部４１Ｂ，４１Ｂを有し、回動軸部４１Ｂ，４１Ｂの間に、上に凸の半球部４２Ｂを有している。半球部４２Ｂには、回動中心軸方向に延びる長孔４３Ｂが、操作部材３０のガイド孔として設けられている。
【００３６】
半球部４２Ｂの下面には、操作部材３０の円板部３３が嵌合する凹部４６Ｂが設けられている。凹部４６Ｂは、操作部材３０が回動部材４０Ｂの長孔４３Ｂの方向に操作されたときの円板部３３の回動を保証する。凹部４６Ｂの内面には、操作部材３０の回動軸部３２が嵌合する一対の凹状の軸受部４７Ｂ，４７Ｂが、長孔４３Ｂを挟んで設けられている。
【００３７】
回動軸部４１Ｂ，４１Ｂの一方の先端面には、ギヤ部４４Ｂが一体的に形成されている。ギヤ部４４Ｂは、本体部１５の側方に突出し、他方のスライダ収容部１６の上方に位置している。このギヤ部４４Ｂは、円弧面を下方に向けた扇状部材であり、その円弧面には平歯車状の歯部４５Ｂが形成されている。
【００３８】
操作部材３０を中立位置に弾性的に保持するための昇降スライダ５０は、ケース１０の本体部１５内に昇降可能に嵌合する環状体である。この昇降スライダ５０は、回動部材４０Ａ，４０Ｂの下方に配置されており、昇降スライダ５０とケース１０の底板部１１との間に圧縮状態で収容されたスプリング６０により上方に付勢される。
【００３９】
この付勢により、昇降スライダ５０は、操作部材３０の円板部３３のフラットな下面、及び回動部材４０Ａ，４０Ｂの両端軸部の下面に形成されたフラット面に弾性的に面接触することにより、操作部材３０及び回動部材４０Ａ，４０Ｂを中立位置に直接保持する。
【００４０】
操作部材３０によって押下操作されるキートップ７０は、ケース１０の底板部１１の中央部に形成された円筒形状のガイド部１４に、底板部１１を貫通して挿入されている。これにより、キートップ７０の下端部が基板１００上のスイッチ本体１１０に上方から当接し、スイッチ本体１１０はこのキートップ７０を介して上方の操作部材３０を上方へ弾性的に押圧している。
【００４１】
キートップ７０と共に押下スイッチを構成するスイッチ本体１１０は、図７に示すように、基板１００の上に印刷により形成された固定接点１１１と、固定接点１１１の上に固定されたドーム形状の可動接片１１２とを有する。固定接点１１１は、環状の第１接点部１１１ａと、その内側に形成された第２接点部１１１ｂとからなっている。可動接片１１２は導電性の薄板からなり、当該可動接片の上から樹脂シート１１３を基板１００に貼り付けることにより、環状の第１接点部１１１ａ上に固定されている。
【００４２】
ケース１０のスライダ収容部１６に収容された直進スライダ８０は、本体部１５の側面に沿った水平方向に移動可能であり、下ケース１０ａの底板部１１の側縁部によって下方への抜け止めがなされている。直進スライダ８０の上部には、スライダ収容部１６の上面に設けられたスリット状の開口部１８を通ってスライダ収容部１６の上方に突出する凸部８１が設けられている。凸部８１の上面には、直進スライダ８０の移動方向にラックギヤ状の歯部８２が形成されている。この歯部８２は、対応する回動部材４０Ａ，４０Ｂの一端部に形成された扇状のギヤ部４４Ａ，４４Ｂの歯部４５Ａ，４５Ｂに噛み合う。
【００４３】
直進スライダ８０の下面には、図５に示すように、接触子９０が取付けられている。接触子９０は、スライダ収容部１６の下面開口部を通して基板１００の表面に臨み、その表面に形成された抵抗回路１２０（図６参照）に弾性的に接触する。
【００４４】
抵抗回路１２０は、図６に示すように、ボリューム部２０Ａ，２０Ｂの各下方に位置して、基板１００の表面に形成されている。それぞれの抵抗回路１２０は、隙間をあけて直列的に配置されたカーボン抵抗体１２１と導体部１２２を有している。接触子９０は、カーボン抵抗体１２１と導体部１２２に各接触するように直列的に設けられた一対の接触部９１，９１を有し、カーボン抵抗体１２１と導体部１２２の間を導通させることにより、ボリュームを構成する。
【００４５】
次に、本発明の実施形態に係る多方向入力装置の機能について説明する。
【００４６】
操作部材３０を下段の回動部材４０Ｂの長孔４３Ｂの方向に傾動操作すると、上段の回動部材４０Ａが回動し、これによるボリューム部２０Ａの作動により、操作量に応じた抵抗値が得られる。即ち、ボリューム部２０Ａでは、回動部材４０Ａの回動によるギヤ部４４Ａの回動に伴って直進スライダ８０が移動し、接触子９０が対応する抵抗回路１２０上を摺動することにより、操作量に応じた抵抗値が得られる。
【００４７】
操作部材３０を上段の回動部材４０Ａの長孔４４Ａの方向に傾動操作した場合は、下段の回動部材４０Ｂが回動し、これによるボリューム部２０Ｂの作動により、操作量に応じた抵抗値が得られる。即ち、ボリューム部２０Ｂでは、回動部材４０Ｂの回動によるギヤ部４４Ｂの回動に伴って直進スライダ８０が移動し、接触子９０が対応する抵抗回路１２０上を摺動することにより、操作量に応じた抵抗値が得られる。
【００４８】
これらの組み合わせにより、操作部材３０は周囲の任意方向に操作され、その操作方向及び操作量に応じた信号が、当該多方向入力装置を使用する電子機器等に入力される。
【００４９】
操作部材３０を軸方向に押し下げた場合は、操作部材３０の下方に設けられた押下スイッチが作動する。即ち、操作部材３０の押下操作により、キートップ７０を介して基板１００上のスイッチ本体１１０が押し下げられ、ドーム形状の可動接片１１２が下方に変形して固定接点１１１の第２接点部１１１ｂに接触することにより、第１接点部１１１ａと第２接点部１１１ｂの間が導通する。
【００５０】
ここで、押下スイッチは、ケース１０内のキートップ７０と、基板１００上に設けられたスイッチ本体１１０とからなる。即ち、押下スイッチのキートップ７０のみをケース１０内に設け、スイッチ本体１１０をケース１０の下の基板１００上に設けた構成になっている。この構成のため、当該多方向入力装置を基板１００上に実装する場合に、押下スイッチを基板１００に半田付けする作業が不要になる。
【００５１】
しかも、スイッチ本体１１０は固定接点１１１、可動接片１１２及び樹脂シート１１３の３部品からなり、従来の押下スイッチユニットを構成する部品の点数（数点）と比べて大幅に少ないため、安価となる。
【００５２】
また、ボリューム部２０Ａ，２０Ｂは、ケース１０の直交する２つの側面部に設けられたスライダ収容部１６，１６と、回動部材４０Ａ，４０Ｂの一端部に設けられた扇形状のギヤ部４４Ａ，４４Ｂと、スライダ収容部１６，１６内に収容された直進スライダ８０，８０と、直進スライダ８０，８０の下面に取付けられた接触子９０，９０とで構成されている。これらの構成部品のうち、スライダ収容部１６，１６及びギヤ部４４Ａ，４４Ｂは、当該多方向入力装置の既存構成部品と一体化されている。このため、ボリューム部２０Ａ，２０Ｂをそれぞれ構成するための部品は、直進スライダ８０と接触子９０の２部品となる。
【００５３】
従って、押下スイッチだけでなく、信号出力手段においても部品点数が大幅に減少し、コスト低減が図られる。
【００５４】
また、その信号出力手段としてのボリューム部２０Ａ，２０Ｂは、押下スイッチと同様、実装に際して基板１００上の抵抗回路１２０，１２０との間を半田付けする必要がない。即ち、当該多方向入力装置は、実装の際に半田付けの操作を一切必要としない。従って、当該多方向入力装置を使用する電子機器等の組立コストが大幅に低減される。
【００５５】
【発明の効果】
以上に説明した通り、本発明の請求項１に係る多方向入力装置は、押下スイッチを、操作部材の下方にケースの底板部を貫通して昇降自在に設けられたキートップと、キートップの下方に位置して基板上に実装され、操作部材の押下操作に伴うキートップの下降により操作されるスイッチ本体との組み合わせにより構成したので、実装時に押下スイッチを基板に半田付けする作業が不要である。従って、当該多方向入力装置を使用する機器の組立コストを低減でき、その製作コストを低減できる。
【００５６】
また、本発明の請求項２に係る多方向入力装置は、スイッチ本体を、基板上に形成された固定接点と、固定接点の上に固定されたドーム型の可動接片との組み合わせとしたので、スイッチ本体を構成する部品の点数を大幅に低減でき、この点からも、当該多方向入力装置を使用する機器の製作コストを低減できる。
【００５７】
また、本発明の請求項３に係る多方向入力装置は、可動接片の上から樹脂シートを基板に貼り付けることにより、可動接片を固定接点上に固定する構成としたので、スイッチ本体の製作工数を低減でき、この点からも、当該多方向入力装置を使用する機器の製作コストを低減できる。
【００５８】
また、本発明の請求項４に係る多方向入力装置は、回動部材の回動角度に対応する信号を出力する信号出力手段として、基板上に固定されるケース内の上下一組の回動部材の各一端部にギヤ部を設けると共に、各ギヤ部の下方に位置してケースの２側面に各側面及び前記基板に沿って移動し得る直進スライダを取付け、直進スライダの上面に前記ギヤ部に噛み合う歯部を設け、直進スライダの下面に、前記基板の表面に形成された抵抗回路に摺動可能に接触して、抵抗回路と共にボリュームを構成する接触子を取付けたことにより、信号出力手段を当該装置に一体化したので、信号出力手段の部品点数を大幅に減らすことができ、当該装置の製作コストをより一層低減できる。
【００５９】
更に、その信号出力手段も基板との間の半田付けが不要であるので、当該装置を使用する機器の組立コストをより一層低減できる。
【図面の簡単な説明】
【図１】本発明の実施形態に係る多方向入力装置の平面図である。
【図２】図１のＡ−Ａ線矢示図である。
【図３】図１のＢ−Ｂ線矢示図である。
【図４】図１のＣ−Ｃ線矢示図である。
【図５】同多方向入力装置の底面図である。
【図６】同多方向入力装置に組み合わされる抵抗回路のパターン図である。
【図７】図２中のＤ部拡大図である。
【符号の説明】
１０  ケース
１０ａ  下ケース
１０ｂ  上ケース
１５  本体部
１６  スライダ収容部
２０Ａ，２０Ｂ  ボリューム部（信号出力手段）
３０  操作部材
４０Ａ，４０Ｂ  回動部材
４１Ａ，４１Ｂ    回動軸部
４２Ａ  円弧部
４２Ｂ  半球部
４３Ａ，４３Ｂ  長孔
４４Ａ，４４Ｂ  ギヤ部
４５Ａ，４５Ｂ  歯部
５０  昇降スライダ
６０  スプリング
７０  押下スイッチを構成するキートップ
８０  直進スライダ
８２  歯部
９０  接触子
１００  基板
１１０  押下スイッチのスイッチ本体
１１１  固定接点
１１２  可動接片
１２０  抵抗回路
【図１】
0003769153.tif 000002
【図２】
0003769153.tif 000003
【図３】
0003769153.tif 000004
【図４】
0003769153.tif 000005
【図５】
0003769153.tif 000006
【図６】
0003769153.tif 000007
【図７】
0003769153.tif 000008